(57)【要約】  本発明は、スティック（１３）へのドッキングに適した手持ち型真空掃除機（１１）を備えるスティック型真空（１０）掃除機に関する。手持ち型真空掃除機（１１）をスティック（１３）にドッキングさせると、手持ち型真空掃除機（１１）の空気出口（２１）を、スティック（１３）に設けられた空気出口と接続する空気経路（２８）が形成される。空気経路（２８）、またはスティックに設けられた空気出口（２２）の外側に、フィルタ（３０）が設けられる。
2019528830.tif 000002
【特許請求の範囲】
【請求項１】
スティックへのドッキングに適した手持ち型真空掃除機を備える真空掃除機であって、前記手持ち型真空掃除機を前記スティックにドッキングさせると、前記手持ち型真空掃除機の空気出口を、前記スティックに設けられた空気出口と接続する空気経路が形成され、フィルタが、前記空気経路、または前記スティックに設けられた前記空気出口の外側に設けられる、真空掃除機。
【請求項２】
前記スティックの前記空気入口に、または前記手持ち型真空掃除機からの前記空気出口に、あるいは、前記スティックの前記空気入口、および前記空気出口の両方に、気密封止が設けられる、請求項１に記載の真空掃除機。
【請求項３】
解放機構が、前記スティックから前記フィルタを解放するために設けられる、請求項１または２に記載の真空掃除機。
【請求項４】
前記フィルタが、ひだのあるフィルタ媒体を備える、請求項１〜３のいずれか一項に記載の真空掃除機。
【請求項５】
フィルタが、前記空気経路、および前記スティックに設けられた前記空気出口の外側の両方に設けられる、請求項１〜４のいずれか一項に記載の真空掃除機。
【請求項６】
スティックへのドッキングに適した手持ち型真空掃除機を受けるためのスティックであって、一端で、前記スティックからの空気出口に接続され、他端で、手持ち型真空掃除機からの空気出口に接続可能な空気経路を備え、フィルタが、前記空気経路、または前記スティックに設けられた前記空気出口の外側に設けられる、スティック。
【請求項７】
気密封止が前記スティックの空気入口に設けられる、または前記手持ち型真空掃除機からの空気出口の気密封止と協働するのに適した表面が設けられる、請求項６に記載のスティック。
【請求項８】
解放機構が、前記スティックから前記フィルタを解放するために設けられる、請求項６または７に記載のスティック。
【請求項９】
前記フィルタが、ひだのあるフィルタ媒体を備える、請求項６〜８のいずれか一項に記載のスティック。
【請求項１０】
フィルタが、前記空気経路、および前記スティックに設けられた前記空気出口の外側の両方に設けられる、請求項６〜９のいずれか一項に記載のスティック。
【発明の詳細な説明】
【技術分野】
【０００１】
本発明は真空掃除機に関する。特に、本発明はスティック型真空掃除機に関する。
【背景技術】
【０００２】
主電源によって動くだけでなく電池でも動く手持ち型真空掃除機は、以前から知られており（たとえば、米国特許第４９６７４４３号明細書参照）、小さい面をすばやく掃除するために使用されている。このような真空掃除機は、簡単に利用でき、使いやすい設計であることが重要である。これらの真空掃除機は通常、集塵容器をフィルタとともに、ファンユニットを含む真空掃除機ハウジングの残りの部分から取り外すことができるように設計されている。
【０００３】
下部がノズルを支持するシャフト部と組み合わせて、上で説明されたタイプの手持ち型真空掃除機を使用することも以前から知られている。このタイプの手持ち型真空掃除機は、スティック型真空掃除機または２ｉｎ１スティック型真空掃除機と呼ぶことができる（たとえば、国際公開第２００４／０６９０２１号パンフレット参照）。シャフト部には管接続が設けられ、それにより、含塵空気は、ノズルから、シャフト部に取り外し可能に固定される手持ち型真空掃除機の空気入口へ送られる。これは、簡単な方法で組み合わせたスティック型真空掃除機が、床を掃除するために使用することができることを意味する。換言すれば、手持ち型スティック型真空掃除機は、スティックへのドッキング、およびスティックからのドッキング解除が可能であり、手持ち型真空掃除機をスティックにドッキングさせたときに床掃除を可能とする。別の従来のスティック型真空掃除機は、国際公開第２００８／０８８２７８号パンフレットで説明されている。
【０００４】
従来のスティック型真空掃除機では、厳密に空間が要求される。これは、スティック型真空掃除機に大きな空間を必要とする構成要素を提供する可能性を減少させ、従来の真空掃除機と比較して、いくつかの態様においては性能を悪化させるが、それは、いくつかの従来の構成要素を、省略しなければならない、または手持ち型真空掃除機のあまり効率的ではない構成要素と入れ替えなければならないことがあるためである。真空掃除機の性能の改善は、絶え間なく求められている。よって、改良されたスティック型真空掃除機が必要である。
【発明の概要】
【発明が解決しようとする課題】
【０００５】
改良された真空掃除機を提供することが、本発明の目的である。特に、改良されたスティック型真空掃除機を提供することが、本発明の目的である。
【課題を解決するための手段】
【０００６】
この目的は、添付の特許請求の範囲に記載されるようなスティック型真空掃除機によって達成される。
【０００７】
１つの実施形態によると、スティックへのドッキングに適した手持ち型真空掃除機を備えるスティック型真空掃除機が提供される。手持ち型真空掃除機をスティックにドッキングさせると、手持ち型真空掃除機の空気出口を、スティックに設けられた空気出口と接続する空気経路が形成される。フィルタは空気経路に設けられる。これによって、スティック型真空掃除機は、手持ち型真空掃除機をスティックにドッキングさせたドッキングモードであるとき、少なくとも、手持ち型真空掃除機をドッキングモードで操作しているとき、改良されたフィルタリングを提供できることが実現される。フィルタは、代案または補助として、スティックからの空気出口においてスティックの外側に設けることができる。
【０００８】
１つの実施形態によると、スティックの空気入口に、または手持ち型真空掃除機からの空気出口に、気密封止が設けられる。気密封止は、スティックの空気入口、および空気出口の両方に設けることもできる。
【０００９】
１つの実施形態によると、解放機構は、スティックからフィルタを解放するために設けられる。
【００１０】
１つの実施形態によると、フィルタは、ひだのあるフィルタ媒体を備える。
【００１１】
本発明は、上記によるスティック型真空掃除機のためのスティックにも及ぶ。
【００１２】
ここで本発明は、一例として、添付図面を参照して、さらに詳細に説明される。
【図面の簡単な説明】
【００１３】
【図１】先行技術によるスティック型真空掃除機を示す。
【図２】スティック型真空掃除機の断面図を示す。
【図３ａ】本発明の１つの実施形態による、スティック型真空掃除機およびその部品を示す。
【図３ｂ】本発明の１つの実施形態による、スティック型真空掃除機およびその部品を示す。
【図３ｃ】本発明の１つの実施形態による、スティック型真空掃除機およびその部品を示す。
【図４ａ】スティック型真空掃除機のための手持ち型真空掃除機の異なる実施形態を示す。
【図４ｂ】スティック型真空掃除機のための手持ち型真空掃除機の異なる実施形態を示す。
【図５】フィルタを示す。
【発明を実施するための形態】
【００１４】
本発明を、本発明の特定の実施形態が示されている添付の図面を参照しながら、以下により詳しく説明する。しかしながら、本発明は多くの異なる形態で具現化されてもよく、本明細書に記載される実施形態に限定されるように解釈すべきでない。むしろ、これらの実施形態は、本開示が徹底的かつ完全になるように、および本発明の範囲を当業者に完全に伝えるように、例として提供される。以下の記載において、類似の要素には類似の符号が付されている。
【００１５】
図１は、先行技術による従来のスティック型真空掃除機１０を概略的に示す。示されたスティック型真空掃除機１０は、細長いシャフト部を備える。細長いシャフト部は、スティックと呼ぶことができる。スティックには、手持ち型真空掃除機１１が、取り外し可能に配置される。したがって、それによって、手持ち型真空掃除機１１は、スティックへのドッキング、およびスティックからのドッキング解除が可能である。スティックの下（前）端は、スティックに回動可能に固定できる床ノズル１２を支持する。ノズル１２は、細長い吸込口を有し、吸込口は、流路１５を介して、従来の態様で手持ち型真空掃除機１１に接続される。スティックの上（後）部は、ハンドル１６として成形することができ、通常、手持ち型真空掃除機１１をスティックにドッキングさせたときに、手持ち型真空掃除機１１に電気回路（詳細には示されていない）を介して接続される操作ノブ１７を有する。
【００１６】
図１に示されるもののようなスティック型真空掃除機と関連する問題は、手持ち型真空掃除機１１の内部に装置を設けるための厳密な空間制限があることである。これは、通常、手持ち型真空掃除機の寸法および重量に関して、扱いにくく、操作が難しくならないように厳密な要件があるためである。結果として、従来の真空掃除機では普通に見られるいくつかの要素が、手持ち型真空掃除機１１では通常、省略されている、または非常に小さく作られている。たとえば、排出空気のフィルタリングの改善のための空間を手持ち型真空掃除機に設けることが実現されている。
【００１７】
少なくとも部分的にこの問題を解決または軽減するために、手持ち型真空掃除機１１の空気出口からの出口から、スティックからの空気出口までの空気通路の中で、フィルタをスティックに配置することができる。これによって、スティック型真空掃除機は、手持ち型真空掃除機がスティックにドッキングされているドッキングモードであるときに、改良されたフィルタリングを提供できることが実現される。フィルタは、代案または補助として、スティックからの空気出口においてスティックの外側に設けることができる。
【００１８】
図２に、スティック型真空掃除機１０の側面からの断面図が示される。図２では、スティック型真空掃除機１０のスティック１３にフィルタ３０が設けられている。フィルタ３０は、スティック１３の手持ち型真空掃除機１１からの空気経路に配置することができる。したがって、フィルタ３０は、手持ち型真空掃除機１１の空気出口２１から、スティック１３からの空気出口２２までの空気経路に配置することができる。空気経路は、図２において、矢印２８によって示される。使用時、手持ち型真空掃除機１１のモータ１４は、空気流路１５を介してノズル１２から空気を吸い込み、空気出口２１を介して手持ち型真空掃除機１１の外へと空気を排出する。手持ち型真空掃除機１１がスティック１３にドッキングされている場合、空気流は、空気経路を介して、スティック１３の空気出口２２まで続く。
【００１９】
効率的なフィルタリングを行うために、スティックの空気入口、または手持ち型真空掃除機からの空気出口２１、またはその両方に気密封止を設けることができる。
【００２０】
さらに、図２では、フィルタ３０は、空気出口２１を空気出口２２と直接接続しているように示されている。しかしながら、手持ち型真空掃除機から、スティックに設けられた空気出口に排出空気を導く空気経路２８をスティック内部に設けることも想定される。そのような空気経路２８は、任意の好適な方法で設計することができる。さらに、フィルタ３０は、代案または補助として、スティックからの空気出口２２においてスティックの外側に設けることができる。このような実施形態において、フィルタは簡単にアクセスすることができるが、スティックの外形寸法は通常、いくぶん増大する。
【００２１】
図３ａに、１つの実施形態によるスティック型真空掃除機１０の詳細な断面図が示される。図３ａでは、スティック１３は、フィルタ３０のための第１の解放機構３１を備える。解放機構３１は、所定の位置にフィルタを保持し、使用者が操作すると、フィルタ３０を解放するように適応されている。解放機構３１は任意の従来の設計とすることができる。さらに、フィルタ３０は、所定の位置にフィルタ３２を保持する、解放機構３１と反対側のフック３２に取り付けることができる。スティック１３は、スティック１３から手持ち型真空掃除機１１を解放するための第２の解放機構１７をさらに備えることができる。
【００２２】
手持ち型真空掃除機１１は、空気流路１５でスティック１３に封止を形成するために、手持ち型真空掃除機１１の前端に設けられる第１の封止部材２５を備えることができる。さらに、第２の封止部材２６は、手持ち型真空掃除機１１から空気出口２１で封止を形成するために、真空掃除機の後端に設けることができる。封止部材２５および２６は、スティック１３に、または手持ち型真空掃除機１１に、またはスティック１３および手持ち型真空掃除機１１の両方に設けることができる。図３ａで分かるように、手持ち型真空掃除機は、集められた塵を保持するためのダストカップ１６も備える。ダストカップ１６に収容される場合、通常、サイクロン分離器などの分離器があり、通常、いくつかのフィルタもある。
【００２３】
図３ｂに、手持ち型真空掃除機１１がドッキング解除されてスティック型真空掃除機から取り外された、スティック１３が示される。図３ｂの実施形態において、封止部材２５および２６は、スティック１３に設けられる。気密封止が手持ち型真空掃除機上に設けられる場合、手持ち型真空掃除機の気密封止と協働するのに適した表面を、スティック１３上に設けることができる。
【００２４】
封止部材２５および２６は、Ｕ字形封止、または場合によっては、Ｖ字形封止とすることができる。そのような封止は、スティックに気密接続を提供する。別の実施形態によると、封止は、リップシーリングである。
【００２５】
図３ｃに、ドッキング解除されて、スティック型真空掃除機から取り外された手持ち型真空掃除機１１が示される。図３ｃで分かるように、手持ち型真空掃除機１１は、カバー３７を備えることができる。カバー３７は、出口２１に配置される。
【００２６】
手持ち型真空掃除機１１がスティック１３なしで使用されるとき、手持ち型真空掃除機１１上の空気出口２１は好ましくは、広く開いていない。使用者が、使用者の手で手持ち型真空掃除機１１の内部にアクセスできないように、穿孔カバー／グリル３７があってもよい。この穿孔カバー／グリル３７は、固定することも、または代わりに、手持ち型真空掃除機をスティックにドッキングさせたとき、損失を低減するために、空気経路から完全にまたは部分的に取り外すこともできる。１つの実施形態によると、カバー３７はばね付勢とすることができ、スティック１３にドッキングさせたとき、空気経路を開くために、スティック１３上の細部によって押し込むことができ、ドッキング解除したとき、所定の位置に戻すことができる。
【００２７】
図４ａに、手持ち型真空掃除機１１をスティック１３にドッキングさせたときに開くように枢動可能であるカバー３７を備える手持ち型真空掃除機１１が示される。
【００２８】
図４ｂに、手持ち型真空掃除機１１をスティック１３にドッキングさせたときに開くように押されることが可能なカバー３７を備える手持ち型真空掃除機１１が示される。
【００２９】
図５に、手持ち型真空掃除機１１のためのフィルタ３０が示される。フィルタ３０は、フレーム４２、特に、プラスチックまたはゴムのフレーム４２上に取り付けられたフィルタ媒体４１を備えることができる。フレーム４２は、長方形、卵形、円形などの任意の好適な形状を有することができる。フィルタ媒体４１はひだをつけることができる。フィルタ媒体は、発泡体、複合フィルタ、漸進層フィルタなどによって形成することができる。
【００３０】
フィルタ３０は、保守管理または交換のために、使用者がスティック１３から取り外すことができる。１つの実施形態によると、フィルタ３０は、図３ａに示されるように、一方側に係止機構かつ他方側にフックを提供することによって、スティック１３から取り外される。使用者は、フィルタ３０を引っ掛け、機構３１がフィルタ３０をつかむまで、それを押し込む。代替的な実施形態において、フィルタ３０は、フィルタ３０にアクセスするために取り外し可能であるカバーの背後に固定することができる。
【００３１】
本発明は、ごく少数の実施形態に関して上で説明された。しかしながら、当業者であれば容易に分かるように、付属の特許請求の範囲で定義された本発明の範囲内において、上で開示されたもの以外の実施形態も同様に可能である。
【図１】
2019528830.tif 000003
【図２】
2019528830.tif 000004
【図３ａ】
2019528830.tif 000005
【図３ｂ】
2019528830.tif 000006
【図３ｃ】
2019528830.tif 000007
【図４ａ】
2019528830.tif 000008
【図４ｂ】
2019528830.tif 000009
【図５】
2019528830.tif 000010
【国際調査報告】
2019528830.tif 000011
2019528830.tif 000012